(57)【要約】【課題】従来存在しなかった装飾体として、収納する際に折り畳むことができ、展示する際に立体形状に展開した装飾体とし、この装飾体を回転させながら音楽を奏でるようにした立体メロディーカードを提供する。【解決手段】底部箱体の上部に設けられたターンテーブルの上面に展開することによって立体形状に立設される装飾体を設け、このターンテーブルを箱体の内部に収容されたモータによって回転駆動すると共に、箱体の内部に構成されたギヤ機構によってターンテーブルの停止タイミングを取り、ターンテーブルの回転中に電子基盤に内蔵された音楽信号によって所定の音楽を奏でるようにした。【選択図】図９
2014014562.tif 000002
【特許請求の範囲】
【請求項１】
底部箱体の上部に設けられたターンテーブルの上面に展開することによって立体形状に立設される装飾体を設け、このターンテーブルを箱体の内部に収容されたモータによって回転駆動すると共に、箱体の内部に構成されたギヤ機構によってターンテーブルの停止タイミングを取り、ターンテーブルの回転中に電子基盤に内蔵された音楽信号によって所定の音楽を奏でるようにしたことを特徴とする立体メロディーカード。
【請求項２】
ターンテーブルの上面にバネ部材が自立するように固定され、該バネ部材によってターンテーブルの上面に設けられた装飾体が自立状態に立設され、また装飾体を横方向に押圧することによって倒伏させることができ、また倒伏した装飾体に対する押圧を解除することによって該装飾体を自立可能としたことを特徴とする請求項１記載の立体メロディーカード。
【請求項３】
底部箱体の背部に折畳み可能に設けられた背面部を形成し、該背面部の下部であって底部箱体の背部に倒立可能に形成されたストッパーを設け、該ストッパーの上面が底部箱体の背面方向に上り勾配状に形成されたことによって、背面部がストッパーによって自立するようにしたことを特徴とする請求項１又は２記載の立体メロディーカード。
【請求項４】
底部箱体又は該底部箱体の背部に設けられた背面部にＬＥＤによる多数の発光体を設け、該発光体が曲のテンポや長さに合わせて発光するようにしたことを特徴とする請求項１、２又は３記載の立体メロディーカード。
【発明の詳細な説明】
【技術分野】
【０００１】
本発明は、収納する際に装飾体を折り畳むことができ、展示する際に装飾体を立体形状に展開することができ、この装飾体を回転させながら音楽を奏でるようにした立体メロディーカードに関する。
【背景技術】
【０００２】
従来から、展開することによって立体形状の装飾体として展示するようにした、所謂ポップアップ型の装飾体が知られている。このような従来のポップアップ型装飾体としては、特許文献１に示す「多用途見開き体」と称せられるものが存在する。
【０００３】
その構成は、カード用ホルダーや額縁装飾用シートや周辺装飾用シートを見開き頁内に折り畳んだ状態にしておき、この見開き頁を開くことによって、それらのホルダーやシートをポップアップ機構で立体形状に展開して、カードを保持したり、写真等を展示可能としたものである。
【先行技術文献】
【特許文献】
【０００４】
【特許文献１】実用新案登録第３１３７８６８号公報
【発明の概要】
【発明が解決しようとする課題】
【０００５】
ところで、上記のような従来のポップアップ型装飾体は、一般的に、閉じられていた図柄を展開することによって見開いた図柄に変化させ、それを視覚的に鑑賞するものであり、動的或いは音楽的には変化に乏しいものであった。
【０００６】
そこで、このような装飾体が回転したり、音楽を発したりすることによって変化に富んだ構成にすることも考えられるが、閉じた状態から展開した立体形状で回転させるには、回転の際に装飾体を一定の立体形状に保持させる必要がある。しかしながら、一般的に、紙製やプラスチックシート等から構成されている装飾体を回転の動作中に一定の立体形状に保持するのは困難であった。
【０００７】
本発明は、上記のようにポップアップ型の装飾体に新規な工夫を加え、従来存在しなかった装飾体として、収納する際に装飾体を折り畳むことができ、展示する際に装飾体を立体形状に展開することができ、しかもこの装飾体を回転させながら音楽を奏でるようにした立体メロディーカードを提供することを目的とする。
【課題を解決するための手段】
【０００８】
上記の問題を解決するために、本発明の請求項１の立体メロディーカードは、底部箱体の上部に設けられたターンテーブルの上面に展開することによって立体形状に立設される装飾体を設け、このターンテーブルを箱体の内部に収容されたモータによって回転駆動すると共に、箱体の内部に構成されたギヤ機構によってターンテーブルの停止タイミングを取り、ターンテーブルの回転中に電子基盤に内蔵された音楽信号によって所定の音楽を奏でるようにしたことを特徴とする。
【０００９】
また、本発明の請求項２の立体メロディーカードは、請求項１において、ターンテーブルの上面にバネ部材が自立するように固定され、該バネ部材によってターンテーブルの上面に設けられた装飾体が自立状態に立設され、また装飾体を横方向に押圧することによって倒伏させることができ、また倒伏した装飾体に対する押圧を解除することによって該装飾体を自立可能としたことを特徴とする。
【００１０】
また、本発明の請求項３の立体メロディーカードは、請求項１又は２において、底部箱体の背部に折畳み可能に設けられた背面部を形成し、該背面部の下部であって底部箱体の背部に倒立可能に形成されたストッパーを設け、該ストッパーの上面が底部箱体の背面方向に上り勾配状に形成されたことによって、背面部がストッパーによって自立するようにしたことを特徴とする。
【００１１】
さらに、本発明の請求項４の立体メロディーカードは、請求項１、２又は３において、底部箱体又は該底部箱体の背部に設けられた背面部にＬＥＤによる多数の発光体を設け、該発光体が曲のテンポや長さに合わせて発光するようにしたことを特徴とする。
【発明の効果】
【００１２】
本発明の立体メロディーカードによれば、展開することによって底部箱体のターンテーブルの上面に立体形状の装飾体を立設することが可能である。また、このターンテーブルをモータで回転駆動することによって立体形状の装飾体を回転させることができ、底部箱体の内部に構成したギヤ機構によってターンテーブルの停止タイミングを取ることも可能である。
【００１３】
また、ターンテーブルの上面にバネ部材が自立するように固定した構成とすることにより、ターンテーブルの上面に設けた装飾体が自立状態に立設され、装飾体を横方向に押圧することによって倒伏させることができる。さらに、倒伏した装飾体に対する押圧を解除することによって該装飾体を元の状態に自立させることが可能となる。
【００１４】
さらに、ターンテーブルの回転中に電子基盤に内蔵された音楽信号によって所定の音楽を奏でることも可能であり、従来のポップアップ型装飾体のように、単に折り畳まれた装飾体を立体形状の装飾体にするだけではなく、動的にも音楽的にも変化に富んだ装飾体として楽しむことが可能となる。
【００１５】
また、底部箱体の背部に折畳み可能に設けた背面部を形成し、背面部の下部であって底部箱体の背部に倒立可能に形成されたストッパーを設け、ストッパーの上面が背面方向に上り勾配状に形成された構成とすることにより、背面部を立てた状態でストッパーによって安定した自立状態にすることが可能となる。
【００１６】
さらに、底部箱体又は該底部箱体の背部に設けられた背面部にＬＥＤによる多数の発光体を設け、該発光体が曲のテンポや長さに合わせて発光する構成とすることにより、装飾体の図柄に合わせた発光の効果を奏することが可能となる。
【図面の簡単な説明】
【００１７】
【図１】本発明による第１実施形態の立体メロディーカードの底部箱体を示す斜視図である。
【図２】（ａ）は本発明による第１実施形態の立体メロディーカードの底部箱体を示す上面図であり、(ｂ)は横側面図であり、(ｃ)は底面図であり、(ｄ)は前側面図である。
【図３】本発明による第１実施形態の立体メロディーカードの底部箱体の断面図である。
【図４】本発明による第１実施形態のメロディーカードの底部箱体の内部構造を示す図であり、（ａ）は底部箱体の上面部の上下を逆に転じた状態の分解斜視図であり、(ｂ)は底部箱体の上面部の上下を逆に転じた状態の組立て後の斜視図であり、(ｃ)は底部箱体の内部の構造を示す斜視図である。
【図５】（ａ）は本発明による第１実施形態の立体メロディーカードの装飾体を倒伏した状態を示す斜視図であり、(ｂ)はその装飾体を立設した状態を示す斜視図である。
【図６】(ａ)〜(ｃ)は、本発明による第１実施形態の立体メロディーカードの装飾体の内部に収容したバネ部材の立設状態と倒伏状態を示す斜視図である。
【図７】本発明による第２実施形態の立体メロディーカードの斜視図である。
【図８】(ａ)〜(ｃ)は、本発明による第２実施形態の立体メロディーカードの背面部を自立可能としたストッパーの構造を示す側面図である。
【図９】(ａ)は、本発明による第２実施形態の立体メロディーカードの背面部を倒伏した状態を示す斜視図であり、(ｂ)はその背面部を起立した状態を正面側から見た斜視図である。
【発明を実施するための形態】
【００１８】
以下、本発明の実施形態について図面を参照しながら説明する。
【実施例１】
【００１９】
本発明による第１実施形態の立体メロディーカード１は、図１〜図６に示すように、底部箱体２の上部に設けられたターンテーブル３の上面に展開することによって立体形状に立設される装飾体４を設け、このターンテーブル３を底部箱体２の内部に収容されたモータ５によって回転駆動する構成としている。また、底部箱体２の内部に設けられたギヤ機構７によってターンテーブル３の停止タイミングを取り、ターンテーブル３の回転中に電子基盤８に内蔵された音楽信号によって所定の音楽を奏でるようにしている。
【００２０】
このような第１実施形態の立体メロディーカード１について詳細に説明する。図１は、本実施形態の立体メロディーカード１に使用する底部箱体２の斜視図である。この底部箱体２は、図２(ａ)に示すように、その上面にターンテーブル３が設けられ、また、図３に示すように、ターンテーブル３は底部箱体２の内部に設けられた駆動装置１１によって回転可能とされたことにより、ターンテーブル３の上面に設けられた装飾体４を回転する構成としている。
【００２１】
ここで、底部箱体２の内部構造について、図４（ａ）〜(ｃ)を参照しながら説明する。なお、底部箱体２は上部に設けられた板状の蓋部９を有する。図４（ａ）は、この蓋部９の上下位置を反転した状態を示し、図４(ｂ)は、図４（ａ）の展開状態から組み立て後の状態を示す。また、図４(ｃ)は、底部箱体２の内部に駆動装置１１を納めた状態を示す。
【００２２】
これらの図に示すように、底部箱体２は上部に設けられた板状の蓋部９の上面に、円盤形状のターンテーブル３が設けられ、このターンテーブル３の中心の下部には大径のギヤ１０が回転自在に支承され、この大径のギヤ１０にギヤ機構７を介してモータ５の回転ギヤ６が接続されている。
【００２３】
上記のモータ５は底部箱体２の内部に設けられた駆動ケース１２に固定され、駆動ケース１２には上記のギヤ機構７が収納され、ギヤ機構７に接続された六角凹部１３が図４(ａ)の六角連結体１４を介してターンテーブル３の下部に設けられた六角形枠体１５に結合されている。
【００２４】
このような構成により、モータ５の回転駆動をターンテーブル３の回転運動に変換することが可能とされている。なお、モータ５の回転駆動の開始タイミングを取るスイッチ１６は、底部箱体２の側面に設けられている。
【００２５】
このような構成において、ターンテーブル３の下部には、該ターンテーブル３の回転位置を検知するセンサー１７が設けられ、上記のギヤ機構７のギヤ比の調整とセンサー１７の検知によって、モータ５が停止する際にはターンテーブル３が同じ位置で停止するようにしている。これによって、ターンテーブル３に設けた装飾体４が、常に同じ位置で回転を始め、また同じ位置で停止することを可能としている。
【００２６】
さらに、図４(ａ)〜(ｃ)に示すように、上記の底部箱体２の内部には、電子基盤８や乾電池ボックス１８が設けられ、さらに電子基盤８にはスピーカ１９が接続されている。このスピーカ１９は、電子基盤８に組み込まれた電子回路から送られる音楽信号を音声に変換するようにしてあり、後述するように回転するターンテーブル３に設けた装飾体４の内容に合わせて音楽を奏でるようにしている。
【００２７】
なお、図２(ｃ)に示すように、底部箱体２の底部には多数のスピーカ用孔１９ａが形成されている。また、図２(ｃ)に示す蓋板１８ａは、乾電池ボックス１８の対応位置に設けられ、蓋板１８ａを開けることによって乾電池ボックス１８の乾電池を交換することが可能である。
【００２８】
さらに、上記の電子基盤８には、音楽に連動して光を発する信号が生成され、その光の信号を複数のＬＥＤ２０に送ることによって、音楽に合わせてＬＥＤ２０から様々な色の光を発するようにしている。なお、発光体として用いたＬＥＤ２０は音楽の曲のテンポや長さに合わせて信号を生成するようにしてあり、後述する背面部２１の前面や底部箱体２の上面等に設けられた多数のＬＥＤ２０から、ターンテーブル３に設けた装飾体４の図柄の内容に合わせて発光する光の変化を楽しむことを可能としている。
【００２９】
なお、上記の構成において、この装飾体４の内容とは、例えば、装飾体４がクリスマスツリーの形状や装飾品を備えたものであれば、上記のスピーカ１９から発せられる音声やＬＥＤ２０から発せられる光をクリスマスにふさわしいものとする。これによって、ターンテーブル３の上面で回転するクリスマスツリー等の装飾体４の雰囲気を盛り上げるものとして楽しむことが可能となる。
【００３０】
また、本実施形態において、上記のように回転するターンテーブル３の上面には、図５に示すような装飾体４が固定されている。この装飾体４として、人形やツリー等の固体の立体形状をターンテーブル３の上面に固定するようにしてもよいが、収納時の立体メロディーカード１全体の小型化又は薄型化を考慮すれば、ターンテーブル３の上面に設けられる装飾体４は折畳み可能に構成するとよい。
【００３１】
しかしながら、ターンテーブル３の上面に折畳み可能な装飾体４を設けるには、その装飾体４を折畳み可能な構成にし、少なくともターンテーブル３の上面で回転させる際には、装飾体４をターンテーブル３上で立体形状に自立させる必要がある。
【００３２】
そのような構成の具体例としては、装飾体４を手作業で立方形状に組み立てるほか、図５(ａ)に示すように、ターンテーブル３の上面にバネ部材２２が自立するように固定し、このバネ部材２２に装飾体４を設けることにより、不図示の横方向の押圧作用によって倒伏した状態にする。また、この押圧作用を解除したとき、図５(ｂ)に示すように、バネ部材２２の弾性力によって装飾体４がターンテーブル３上で垂直に自立した状態にする。
【００３３】
また、この図５(ａ)、(ｂ)に示すターンテーブル３の上面に設けた装飾体４は、プラスチックシートをツリーの形状に形成すると共に、その装飾体４の下部の背面にバネ部材２２として断面Ｌ字形の板バネ２３を介してターンテーブル３に固定した構成としたものである。このような構成により、ターンテーブル３上の装飾体４を横方向に押圧し、また不図示のケース等に収納する際に装飾体４を折畳んだ状態にすることが可能となる。
【００３４】
また、図５(ａ)、(ｂ)に示す立体メロディーカード１をケースから取り出したり、装飾体４に対する押圧を解除することによって、板バネ２３の弾性力で装飾体４はほぼ垂直に起立した状態を保つ。また、ターンテーブル３の回転によって、装飾体４もまた回転することが可能となる。
【００３５】
このような構成により、底部箱体２の内部に設けられたギヤ機構７によってターンテーブル３の停止タイミングを取り、装飾体４を前方を向く状態に停止すると共に、ターンテーブル３の回転に伴って装飾体４を回転させることができる。さらに、ターンテーブル３の回転中に電子基盤８に内蔵された音楽信号によって所定の音楽を奏でることが可能となる。
【００３６】
また、図６(ａ)〜(ｃ)に示す立体メロディーカード１は、ツリーの形状の装飾体４の内部にコイルバネ形状のスプリング２４を設けたものであり、上下方向に長いスプリング２４の下部をターンテーブル３の上面に固定部材２２ａで固定することにより、このスプリング２４を自然状態で自立した状態にしている。
【００３７】
このようなスプリング２４の場合、装飾体４は袋体又は前後方向にも伸縮するように形成した立体形状とし、その内部に自然状態において長いスプリング２４を収納する。そして、スプリング２４の下部をターンテーブル３の上面に固定部材２２ａで固定する。これによって、図６(ａ)に示すように、自然状態でスプリング２４を直立状態にすることができ、装飾体４を立設した状態にすることが可能となる。
【００３８】
また、図６(ｂ)、(ｃ)に示すように、装飾体４を横方向に押圧することにより、スプリング２４を弾性力に抗して横方向に倒し、装飾体４を倒伏した状態にすることができる。さらに、装飾体４に対する押圧力を解除することにより、スプリング２４の弾性力でスプリング２４の形状が元の直立状態に復帰する動作に従って、装飾体４もまた図６(ａ)に示す直立状態に復帰する。
【実施例２】
【００３９】
上記の第１実施形態の立体メロディーカード１は、底部箱体２の背面に背面部２１を備えていない構造であったが、この第２実施形態の立体メロディーカード１は、図７に示すように、底部箱体２の背面に背面部２１を設けた構成としている。
【００４０】
このような構成において、本実施形態の立体メロディーカード１における底部箱体２は、図１〜図４に示す第１実施形態の底部箱体２と同様に、上部にターンテーブル３を備え、このターンテーブル３を第１実施形態と同様の駆動装置１１によって回転可能としている。
【００４１】
また、本実施形態においても、第１実施形態と同様の構造によって、底部箱体２に内蔵した電子基盤８にスピーカ１９が接続され、このスピーカ１９から、ターンテーブル３に設けた装飾体４の内容に合わせて音楽を発するようにしている。
【００４２】
さらに、本実施形態においても、第１実施形態と同様に、底部箱体２に内蔵した電子基盤８において、音楽に連動して光を発する信号が生成され、その光の信号を底部箱体２の背面部２１等に設けた複数のＬＥＤ２０に送ることにより、音楽に合わせてＬＥＤ２０から様々な色の光を発することが可能となる。
【００４３】
このような第２実施形態の立体メロディーカード１において、図８(ａ)〜(ｃ)に示すように、底部箱体２の背面に設けた背面部２１は、底部箱体２の背部に折畳み可能に設けられている。また、背面部２１の下部であって底部箱体２の背部に段差部２５が設けられ、該段差部２５の側端部にて倒立可能に屈曲動作するストッパー２６が設けられている。
【００４４】
さらに、ストッパー２６の上面が底部箱体２の背面方向に上り勾配状に形成された勾配面２６ａを有することによって、背面部２１がストッパー２６の勾配面２６ａによって自立することが可能となる。なお、ストッパー２６にはリボン２７が設けられ、図８(ｂ)に示すように、リボン２７を引き出すことによって、ストッパー２６が背面部２１の下部から引き出され、図８(ｃ)に示すように、背面部２１を後方へ倒すことが可能となる。
【００４５】
また、図９(ａ)、(ｂ)に示す立体メロディーカード１は、図６（ａ）に示す構造と同様に、ターンテーブル３の上面にバネ部材２２が自立するように固定され、バネ部材２２によってターンテーブル３の上面に設けられた装飾体４が立設される。また、図６(ｂ)に示す構造と同様に、装飾体４を横方向に押圧することによって倒伏させることができ、また倒伏した装飾体４に対する押圧を解除することによって該装飾体４を自立可能とすることができる。
【００４６】
さらに、図９(ａ)、(ｂ)に示す立体メロディーカード１は、底部箱体２の前端に固定された透明カバー２８が上方へ立ち上げられると共に、ターンテーブル３上の装飾体４を覆い、その上部で後方へ折り曲げられた透明カバー２８の後端が背面部２１の上部に固定された構成とされている。このような構成により、図９（ａ）に示すように背面部２１を後方へ倒すと、透明カバー２８もまた後方へ倒れるのに伴って、ターンテーブル３上の装飾体４もまた後方へ倒伏する。そして、背面部２１を前方へ起立すると、図９(ｂ)に示すように、透明カバー２８もまた前方へ起立するのに伴って、ターンテーブル３上の装飾体４もまた垂直状に起立し、立体形状に形成される。
【００４７】
なお、図９(ａ)、(ｂ)に示す立体メロディーカード１は、クリスマスの季節に適するように作成されたものであり、ターンテーブル３の上面にクリスマスツリーを形成した装飾体４を折畳み可能に自立させたものである。また、底部箱体２の上面に雪だるまや犬等の形状を紙材料によって形成し、背面部２１にはトナカイやソリや樹木の形状を描いている。また、背面部２１にはトナカイやソリの間に星の形状を切り抜き、その背後に多数のＬＥＤ２０を発光体として固定することにより、夫々のＬＥＤ２０を点滅させたり発光させることができるようにしている。
【産業上の利用可能性】
【００４８】
本発明の立体メロディーカードは、従来存在しなかった装飾体として、収納する際に折り畳むことができ、展示する際に立体形状に展開した装飾体とし、この装飾体を回転させながら音楽を奏でるようにした立体メロディーカードとして利用可能である。
【符号の説明】
【００４９】
１  立体メロディーカード
２  底部箱体
３  ターンテーブル
４  装飾体
５  モータ
６  モータギヤ
７  ギヤ機構
８  電子基盤
９  蓋部
１０  大径のギヤ
１１  駆動装置
１2  駆動ケース
１３  六角凹部
１４  六角連結体
１５  六角形枠体
１６  スイッチ
１７  センサー
１８  乾電池ボックス
１８ａ  蓋板
１９  スピーカ
１９ａ  スピーカ用孔
２０  ＬＥＤ
２１  背面部
２２  バネ部材
２２ａ  固定部材
２３  板バネ
２４  スプリング
２５  段差部
２６  ストッパー
２６ａ  勾配面
２７  リボン
２８  透明カバー
【図１】
2014014562.tif 000003
【図２】
2014014562.tif 000004
【図３】
2014014562.tif 000005
【図４】
2014014562.tif 000006
【図５】
2014014562.tif 000007
【図６】
2014014562.tif 000008
【図７】
2014014562.tif 000009
【図８】
2014014562.tif 000010
【図９】
2014014562.tif 000011